(57)【要約】【課題】表示内容を制御して使用者の利便性を向上させた撮像装置を提供することを目的とする。【解決手段】被写体を撮像して画像データを出力する撮像手段と、画像データの横縦比を設定する設定手段と、設定手段が設定した横縦比に応じて画像データの全体または一部の領域を抽出して抽出画像データとする抽出手段と、抽出画像データを記録媒体に記録する記録手段と、抽出画像データに基づく画像、および、記録媒体の空き容量に関する情報を表示する表示手段と、ユーザからの操作を受け付ける操作手段と、表示手段に表示する空き容量に関する情報として、静止画の記録可能枚数および動画の記録可能時間のうちいずれかを選択する表示切替手段と、操作手段が受け付けた操作に応じて、表示切替手段が選択する情報と、設定手段が設定する横縦比とを連動して切り替える制御手段と、を備える。【選択図】図５
2012205044.tif 000002
【特許請求の範囲】
【請求項１】
被写体を撮像して画像データを出力する撮像手段と、
画像データの横縦比を設定する設定手段と、
前記設定手段が設定した横縦比に応じて前記画像データの全体または一部の領域を抽出して抽出画像データとする抽出手段と、
前記抽出画像データを記録媒体に記録する記録手段と、
前記抽出画像データに基づく画像、および、前記記録媒体の空き容量に関する情報を表示する表示手段と、
ユーザからの操作を受け付ける操作手段と、
前記表示手段に表示する空き容量に関する情報として、静止画の記録可能枚数および動画の記録可能時間のうちいずれかを選択する表示切替手段と、
前記操作手段が受け付けた操作に応じて、前記表示切替手段が選択する情報と、前記設定手段が設定する横縦比とを連動して切り替える制御手段と、
を備えた撮像装置。
【請求項２】
前記制御手段は、前記操作手段が受け付けた操作に応じて前記表示切替手段が選択する情報を選択し、前記表示切替手段が選択する情報に応じて前記設定手段が設定する横縦比を連動して切り替える、請求項１記載の撮像装置。
【請求項３】
前記制御手段は、前記操作手段が受け付けた操作に応じて前記設定手段が設定する横縦比を設定し、前記設定手段が設定する横縦比に応じて前記表示切替手段が選択する情報を連動して切り替える、請求項１記載の撮像装置。
【請求項４】
静止画および動画に対する横縦比を各々記憶する記憶手段を備え、
前記制御手段は、前記表示切替手段が前記静止画の記録可能枚数を選択したときには、前記記憶手段から前記静止画の横縦比を読み出して前記設定手段に設定させ、前記表示切替手段が前記動画の記録可能時間を選択したときには、前記記憶手段から前記動画の横縦比を読み出して前記設定手段に設定させる、請求項１記載の撮像装置。
【発明の詳細な説明】
【技術分野】
【０００１】
本発明は、動画および静止画を記録可能な撮像装置に関し、特に動画および静止画について互いに異なる横縦比で記録可能な撮像装置に関する。
【背景技術】
【０００２】
被写体を撮影し、動画および静止画のいずれの形式でも記録が可能なデジタルスチルカメラやデジタルビデオカメラ等の撮像装置が普及している（例えば、特許文献１参照。）。
【０００３】
静止画は写真文化の影響を強く受けているため、４：３もしくは３：２などの横縦比（アスペクト比：画像の横の長さと縦の長さとの比）であることが多く、動画像は、テレビジョン放送の影響を強く受けているため、番組映像と同じ１６：９の横縦比であることが多い。そこで、動画と静止画とで独立して横縦比を設定して記録できるようにした撮像装置も登場している。このような撮像装置の場合、待機状態におけるスルー画像表示（ライブビュー表示）を、対応する横縦比で表示するようになっているものがある。例えば、動画を１６：９で記録するよう設定されているときは、動画撮影モードにおいて１６：９でスルー画像表示を行う。また、静止画を４：３で記録するよう設定されているときは、静止画撮影モードにおいて４：３でスルー画像表示を行う。各撮影モードで実際に記録される横縦比でスルー画像が表示されるため、動画撮影モードにおいても静止画撮影モードにおいても、スルー画像を視認することで記録される画角を容易に確認することができる。
【０００４】
また、記録媒体の記録可能容量（空き容量）の目安を表示する方法として、動画の場合は記録可能時間、静止画の場合は記録可能枚数が用いられている（例えば、特許文献２参照。）。例えば、記録媒体の記録可能容量を、撮像装置が生成する単位時間当たりの動画データの平均サイズ（ビットレート）で割れば、おおよその記録可能時間が求められる。同様に、記録媒体の記録可能容量を、撮像装置が生成する静止画データ１枚当たりの平均サイズで割れば、おおよその記録可能枚数が求められる。動画撮影モードでは、待機状態において記録可能時間を表示し、静止画撮影モードでは、待機状態において記録可能枚数を表示する。こうすることで、各撮影モードにおいて直感的にあとどのくらい動画／静止画を記録可能かを確認することができる。
【先行技術文献】
【特許文献】
【０００５】
【特許文献１】特開平１０−１０８１２１号公報
【特許文献２】特開２００１−０６９４４２号公報
【発明の概要】
【発明が解決しようとする課題】
【０００６】
しかしながら、撮像装置が動画記録および静止画記録の各々について専用の撮影モードを持たず、共通の撮影モードから動画記録も静止画記録も可能な構成となっている場合がある。このような撮像装置は、撮影モードの待機状態において、次に使用者が動画撮影を行うか静止画撮影を行うかがわからないため、モニタ等に適切に情報を表示することが困難であった。
【０００７】
本発明は上記課題に鑑みてなされたものであり、表示内容を制御して使用者の利便性を向上させた撮像装置を提供することを目的とする。
【課題を解決するための手段】
【０００８】
上記課題を解決するために本発明の撮像装置は、被写体を撮像して画像データを出力する撮像手段と、画像データの横縦比を設定する設定手段と、設定手段が設定した横縦比に応じて画像データの全体または一部の領域を抽出して抽出画像データとする抽出手段と、抽出画像データを記録媒体に記録する記録手段と、抽出画像データに基づく画像、および、記録媒体の空き容量に関する情報を表示する表示手段と、ユーザからの操作を受け付ける操作手段と、表示手段に表示する空き容量に関する情報として、静止画の記録可能枚数および動画の記録可能時間のうちいずれかを選択する表示切替手段と、操作手段が受け付けた操作に応じて、表示切替手段が選択する情報と、設定手段が設定する横縦比とを連動して切り替える制御手段と、を備える。
【発明の効果】
【０００９】
本発明によれば、使用者の利便性を向上させた撮像装置を提供することが出来る。
【図面の簡単な説明】
【００１０】
【図１】実施の形態１に係るデジタルカメラ１００の前面構成図
【図２】実施の形態１に係るデジタルカメラ１００の背面構成図
【図３】実施の形態１に係るデジタルカメラ１００の電気的構成図
【図４】実施の形態１に係る撮影モードにおける処理の流れを示すフローチャート
【図５】実施の形態１に係る表示切替処理の流れを示すフローチャート
【図６】実施の形態１に係る画面表示の一例を示す図
【図７】実施の形態１に係る動画撮影開始・終了処理の流れを示すフローチャート
【図８】実施の形態１に係る静止画撮影処理の流れを示すフローチャート
【発明を実施するための形態】
【００１１】
〔実施の形態１〕
実施の形態１のデジタルカメラ１００は、静止画の残枚数表示、動画の残時間表示の切替が可能であり、残枚数表示と残時間表示の切り替えに応じて、表示するスルー画像の横縦比を設定されている静止画の横縦比および動画の横縦比のいずれかに切替える機能を持つ。デジタルカメラ１００は、これらの機能、設定に基づいた撮影制御を行う。以下、デジタルカメラ１００の構成および動作を説明する。
【００１２】
〔１．構成〕
以下、図を用いてデジタルカメラ１００の構成を説明する。
【００１３】
〔１−１．デジタルカメラ１００の構成〕
図１は、デジタルカメラ１００の前面構成図である。デジタルカメラ１００は前面に光学系１１０を納める鏡筒や、フラッシュ１６０を備える。また、デジタルカメラ１００は上面に静止画レリーズ釦２０１やズームレバー２０２、電源釦２０３などの操作釦を備える。
【００１４】
図２は、デジタルカメラ１００の背面構成図である。デジタルカメラ１００は背面に液晶モニタ１２３や、中央釦２０４や十字釦２０５や動画レリーズ釦２０６やモード切替スイッチ２０７や表示切替釦２０８などの操作釦を備える。
【００１５】
図３は、デジタルカメラ１００の電気的構成図である。デジタルカメラ１００は、光学系１１０を介して形成された被写体像をＣＣＤイメージセンサ１２０で撮像する。ＣＣＤイメージセンサ１２０は撮像した被写体像に基づく画像情報を生成する。撮像により生成された画像情報は、ＡＦＥ（アナログ・フロント・エンド）１２１や画像処理部１２２において各種処理が施される。生成された画像情報はフラッシュメモリ１４２やメモリカード１４０に記録される。フラッシュメモリ１４２やメモリカード１４０に記録された画像情報は、使用者による操作部１５０の操作を受け付けて液晶モニタ１２３上に表示される。以下で、図１から図３に示す各構成の詳細を説明する。
【００１６】
光学系１１０は、フォーカスレンズ１１１やズームレンズ１１２、絞り１１３、シャッター１１４等により構成される。図示していないが、光学系１１０は、光学式手ぶれ補正レンズＯＩＳ（Ｏｐｔｉｃａｌ  Ｉｍａｇｅ  Ｓｔａｂｉｌｉｚｅｒ）を含んでいてもよい。なお、光学系１１０を構成する各種レンズは何枚から構成されるものでも、何群から構成されるものでもよい。
【００１７】
フォーカスレンズ１１１は被写体のフォーカス状態の調節に用いられる。ズームレンズ１１２は被写体の画角の調節に用いられる。絞り１１３は、ＣＣＤイメージセンサ１２０に入射する光量の調節に用いられる。シャッター１１４は、ＣＣＤイメージセンサ１２０に入射する光の露出時間を調節する。フォーカスレンズ１１１、ズームレンズ１１２、絞り１１３、シャッター１１４は、それぞれに対応したＤＣモータやステッピングモータ等の駆動手段により、コントローラ１３０から通知された制御信号に従って駆動される。
【００１８】
ＣＣＤイメージセンサ１２０は、光学系１１０を通して形成された被写体像を撮像して画像情報を生成する。ＣＣＤイメージセンサ１２０は、デジタルカメラ１００が撮影モードにあるとき、一定時間ごとに新しいフレームの画像情報を生成することができる。
【００１９】
ＡＦＥ１２１では、ＣＣＤイメージセンサ１２０から読み出された画像情報に対して相関二重サンプリングによる雑音抑圧、アナログゲインコントローラによるＡ／Ｄコンバータの入力レンジ幅への増幅、Ａ／ＤコンバータによるＡ／Ｄ変換が施される。その後、ＡＦＥ１２１は画像情報を画像処理部１２２に出力する。
【００２０】
画像処理部１２２は、ＡＦＥ１２１から出力された画像情報に対して各種の処理を施す。各種処理としては、スミア補正、ホワイトバランス補正、ガンマ補正、ＹＣ変換処理、電子ズーム処理、抽出処理、圧縮処理、伸張処理等が挙げられるが、これらに限定されるものではない。ここで抽出処理とは、ＣＣＤイメージセンサから読み出された画像情報の全体または一部を切り出す（抽出する）処理を指す。このとき、切り出す範囲は、記録する画像情報（動画または静止画）の横縦比に応じて決定される。記録する画像情報の横縦比に関する情報は、後述するようにフラッシュメモリ１４２に記録されている。画像処理部１２２は、各種処理を施した画像情報をバッファメモリ１２４に記憶する。画像処理部１２２は、ハードワイヤードな電子回路で構成してもよいし、プログラムを用いたマイクロコンピュータなどで構成してもよい。またコントローラ１３０などとともに１つの半導体チップで構成してもよい。
【００２１】
液晶モニタ１２３は、デジタルカメラ１００の背面に備わる。液晶モニタ１２３は、画像処理部１２２にて処理された画像情報に基づく画像を表示する。液晶モニタ１２３が表示する画像には、スルー画像や記録画像がある。スルー画像は、ＣＣＤイメージセンサ１２０により一定時間ごとに生成される新しいフレームの画像を連続して表示する画像である。通常は、デジタルカメラ１００が撮影モードにあるときに、画像処理部１２２がＣＣＤイメージセンサ１２０の生成した画像情報からスルー画像を生成する。使用者は、液晶モニタ１２３に表示されるスルー画像を参照することにより、被写体の構図を確認しながら撮影できる。記録画像は、デジタルカメラ１００が再生モードにあるときに、メモリカード１４０等に記録された高画素の画像を液晶モニタ１２３に表示するために低画素に縮小した画像である。メモリカード１４０に記録される高画素の画像情報は、使用者による静止画レリーズ釦２０１の操作を受け付けた後に、ＣＣＤイメージセンサ１２０が生成した画像情報に基づいて画像処理部１２２により生成される。
【００２２】
コントローラ１３０は、デジタルカメラ１００全体の動作を統括制御する。また、コントローラ１３０は、画像処理部１２２で処理された後バッファメモリ１２４に記憶された画像情報を、メモリカード１４０等の記録媒体へ記録する。コントローラ１３０は、プログラム等の情報を格納するＲＯＭや、プログラムを実行することにより各種情報を処理するＣＰＵなどにより構成される。ＲＯＭは、ファイル制御、オートフォーカス制御（ＡＦ制御）や自動露出制御（ＡＥ制御）、フラッシュ１６０の発光制御に関するプログラムの他、デジタルカメラ１００全体の動作を統括制御するためのプログラムを格納している。
【００２３】
コントローラ１３０は、ハードワイヤードな電子回路で構成してもよいし、マイクロコンピュータなどで構成してもよい。また、画像処理部１２２などと共に１つの半導体チップで構成してもよい。また、ＲＯＭはコントローラ１３０の内部構成である必要はなく、コントローラ１３０の外部に備わったものでもよい。
【００２４】
バッファメモリ１２４は、画像処理部１２２やコントローラ１３０のワークメモリとして機能する記憶手段である。バッファメモリ１２４はＤＲＡＭ（Ｄｙｎａｍｉｃ  Ｒａｎｄｏｍ  Ａｃｃｅｓｓ  Ｍｅｍｏｒｙ）などで実現できる。また、フラッシュメモリ１４２は、画像情報および設定情報等を記録するための内部メモリとして機能する。設定情報の具体例としては、静止画の横縦比、動画の横縦比、残枚数残時間表示切替フラグ等が挙げられる。
【００２５】
カードスロット１４１は、メモリカード１４０を着脱可能な接続手段である。カードスロット１４１は、メモリカード１４０を電気的及び機械的に接続可能である。また、カードスロット１４１は、メモリカード１４０を制御する機能を備えてもよい。
【００２６】
メモリカード１４０は、内部にフラッシュメモリ等の記録部を備えた外部メモリである。メモリカード１４０は、画像処理部１２２で処理される画像情報などのデータを記録可能である。
【００２７】
操作部１５０は、デジタルカメラ１００の外装に備わっている操作釦や操作ダイヤルの総称であり、使用者による操作を受け付ける。例えば図１や図２に示した静止画レリーズ釦２０１や、動画レリーズ釦２０６、ズームレバー２０２、電源釦２０３、中央釦２０４、十字釦２０５、モード切替スイッチ２０７、表示切替釦２０８などがこれにあたる。操作部１５０は使用者による操作を受け付けると、コントローラ１３０に種々の動作指示信号を通知する。
【００２８】
表示切替釦２０８は、残枚数表示／残時間表示を切り替えるための押下式釦である。残枚数表示とは、静止画の残り撮影可能枚数を表示することであり、残時間表示とは、動画の残り撮影可能時間を表示することである。残枚数表示を行うか残時間表示を行うかの情報はフラッシュメモリ１４２に残枚数残時間表示切替フラグとして記録され、コントローラ１３０により制御される。表示切替釦２０８が使用者によって押下されると、コントローラ１３０は、残枚数残時間表示切替フラグを制御し、残枚数表示か残時間表示かを決定する。表示切替釦２０８が押下される度に残枚数残時間表示制御フラグが、残枚数表示、残時間表示、残枚数表示、残時間表示…、の順に循環して切り替わる。また、残枚数残時間表示制御フラグの設定値が残枚数表示である場合、フラッシュメモリ１４２から静止画の横縦比情報を取得し、静止画の横縦比角に表示横縦比を切替え、液晶モニタ１２３に残枚数表示とともに表示する。残枚数残時間表示制御フラグの設定値が残時間表示である場合、フラッシュメモリ１４２から動画の横縦比情報を取得し、動画の横縦比角に表示横縦比を切替え、液晶モニタ１２３に残時間表示とともに表示する。
【００２９】
静止画レリーズ釦２０１は、半押し状態と全押し状態の二段階押下式釦である。静止画レリーズ釦２０１が使用者により半押しされると、コントローラ１３０は、ＡＦ（Ａｕｔｏ  Ｆｏｃｕｓ）制御や、ＡＥ（Ａｕｔｏ  Ｅｘｐｏｓｕｒｅ）制御を実行し撮影条件を決定する。続いて、静止画レリーズ釦２０１が、使用者により全押しされると、コントローラ１３０は、撮影処理を行う。コントローラ１３０は、全押しのタイミングに撮像された画像情報を静止画像としてメモリカード１４０等に記録する。以下、単に静止画レリーズ釦２０１を押下すると記載する場合は、全押しを示すものとする。
【００３０】
動画レリーズ釦２０６は、動画記録の開始／終了を指示するための押下式釦である。動画レリーズ釦２０６が使用者によって押下されると、コントローラ１３０は、ＣＣＤイメージセンサ１２０が生成した画像情報に基づいて画像処理部１２２により生成された画像情報を動画像として順次、メモリカード１４０等の記録媒体に記録する。再度、動画レリーズ釦２０６を押下すると、動画像の記録が終了する。
【００３１】
ズームレバー２０２は画角を広角端と望遠端との間で調節するための中央位置自己復帰式のレバーである。ズームレバー２０２は、使用者により操作されるとコントローラ１３０にズームレンズ１１２を駆動するための動作指示信号を通知する。すわなち、ズームレバー２０２が広角端側に操作されると、コントローラ１３０は、被写体を広角で捉えられるようにズームレンズ１１２を駆動する。同様に、ズームレバー２０２が望遠端側に操作されると、コントローラ１３０は、被写体を望遠で捉えられるようにズームレンズ１１２を駆動する。
【００３２】
電源釦２０３は、デジタルカメラ１００を構成する各部への電力供給をＯＮ／ＯＦＦするための押下式釦である。電源ＯＦＦ時に電源釦２０３が使用者により押下されると、コントローラ１３０はデジタルカメラ１００を構成する各部に電力を供給し、起動させる。また、電源ＯＮ時に電源釦２０３が使用者により押下されると、コントローラ１３０は各部への電力供給を停止する。
【００３３】
中央釦２０４は、押下式釦である。デジタルカメラ１００が撮影モードあるいは再生モードにあるときに、中央釦２０４が使用者により押下されると、コントローラ１３０は液晶モニタ１２３にメニュー画面を表示する。メニュー画面は、撮影／再生のための各種条件を設定するための画面であり、シャッター音のＯＮ、ＯＦＦ切り替え等の設定を行える。
【００３４】
シャッター音のＯＮ、ＯＦＦ切り替えを含め、メニュー画面で設定された情報は、フラッシュメモリ１４２に記録される。各種条件の設定項目が選択されているときに押下されると、中央釦２０４は決定釦としても機能する。
【００３５】
十字釦２０５は、上下左右方向に設けられた押下式釦である。使用者は、十字釦２０５のいずれかの方向を押下することにより、液晶モニタ１２３に表示される各種条件項目を選択することができる。
【００３６】
モード切替スイッチ２０７は、上下方向に設けられた押下式釦である。使用者はモード切替スイッチ２０７のいずれかの方向を押下することにより、デジタルカメラ１００の状態を、撮影モード、再生モードに切り替えることができる。
【００３７】
なお、ＣＣＤイメージセンサ１２０は、撮像手段の一例である。画像処理部１２２は、抽出手段の一例である。フラッシュメモリ１４２は、記憶手段の一例である。表示切替釦２０８は、操作手段の一例である。コントローラ１３０は、制御手段の一例である。コントローラ１３０は、設定手段の一例である。コントローラ１３０は、表示切替手段の一例である。コントローラ１３０は、記録手段の一例である。液晶モニタ１２３は、表示手段の一例である。メモリカード１４０は、記録媒体の一例である。
【００３８】
〔２．動作〕
〔２−１．デジタルカメラ１００の横縦比の設定動作〕
デジタルカメラ１００の横縦比の設定動作について説明する。中央釦２０４が使用者により押下されると、コントローラ１３０は液晶モニタ１２３にメニュー画面を表示する。メニュー画面は、撮影／再生のための各種条件を設定するための画面である。使用者は、十字釦２０５を操作することにより、静止画の横縦比、動画の横縦比等の設定を行える。デジタルカメラ１００においては、静止画の横縦比は４：３、３：２、１６：９、１：１の４種類の設定が存在し、動画の横縦比は４：３、１６：９の２種類の設定が存在する。メニュー画面で設定された静止画および動画の横縦比は、フラッシュメモリ１４２に記録される。中央釦２０４は、各種条件の設定項目が選択されているときに押下されると、決定釦としても機能する。
【００３９】
〔２−２．デジタルカメラ１００の撮影動作〕
デジタルカメラ１００の撮影制御について説明する。図４は、デジタルカメラ１００の撮影モード時の撮影制御のフローチャートである。デジタルカメラ１００は、撮影モードにおいて動画および静止画の撮影を行うことができる。
【００４０】
コントローラ１３０は、デジタルカメラ１００が使用者のモード切替スイッチ２０７の操作により撮影モードに移行したとき、静止画像／動画像記録に必要な初期化処理を行う（Ｓ４０１）。
【００４１】
初期化完了後、コントローラ１３０は、モード切替スイッチ２０７の状態の確認（Ｓ４０３）、表示切替釦２０８の押下の監視（Ｓ４０４）、スルー画像の表示（Ｓ４０８）、動画レリーズ釦２０６の押下の監視（Ｓ４０５）、および静止画レリーズ釦２０１の押下の監視（Ｓ４０９）を含む、使用者からの入力確認処理や表示処理を繰り返す。このとき、ステップＳ４０３において、モード切替スイッチ２０７の状態が、撮影モードでなければ撮影モードの処理を終了する。
【００４２】
コントローラ１３０は、ステップＳ４０４において表示切替釦２０８の押下を検知すると、表示切替処理を行い（Ｓ４０６）、その後、表示切替処理で施された設定値によりスルー画像の表示処理を行う（Ｓ４０８）。表示切替処理の詳細については図５のフローチャートを用いて説明する。表示切替釦２０８の押下を検知しないときは、表示切替処理は行わずに現在の設定値にてスルー画像の表示処理を行う（Ｓ４０８）。また、ステップＳ４０５において動画レリーズ釦２０６の押下を検知すると、コントローラ１３０は動画撮影開始・終了処理を行い（Ｓ４０７）、ステップＳ４０９において静止画レリーズ釦２０１の押下を検知すると、静止画撮影処理を行う（Ｓ４１１）。動画撮影開始・終了処理の詳細については、図７のフローチャートを用いて説明する。静止画撮影処理の詳細については図８のフローチャートを用いて説明する。
【００４３】
図５は、表示切替処理の流れを示すフローチャートである。表示切替処理では、コントローラ１３０は、使用者による表示切替釦２０８の押下を検知すると、フラッシュメモリ１４２から残枚数残時間表示切替フラグの情報を取得し、残枚数残時間表示切替フラグの現在の設定が残枚数表示なら残時間表示に、残時間表示なら残枚数表示に更新する（Ｓ５０１）。そして、残枚数残時間表示切替フラグの設定が残枚数表示であるかどうかを判断する（Ｓ５０３）。残枚数残時間表示切替フラグの設定が残枚数表示である場合、フラッシュメモリ１４２から静止画の横縦比情報を取得し（Ｓ５０５）、静止画の横縦比に表示横縦比を切替え、液晶モニタ１２３に静止画の残枚数とともに表示する（Ｓ５０９）。また、残枚数残時間表示切替フラグの設定が残時間表示である場合、フラッシュメモリ１４２から動画の横縦比情報を取得し（Ｓ５０７）、動画の横縦比に表示横縦比を切替え、液晶モニタ１２３に動画の残時間とともに表示する（Ｓ５０９）。
【００４４】
例えば、メニュー画面で使用者によって静止画の横縦比が４：３、動画の横縦比が１６：９に設定されていた時に、この表示切替処理を行うと、残枚数残時間表示切替フラグの設定が残枚数表示であるならば、図６（ａ）のように、残枚数表示６１１に連動し、静止画の横縦比である４：３でのスルー画像表示（画面６０１）になり、残枚数残時間表示切替フラグの設定が残時間表示であるならば、図６（ｂ）のように、残時間表示６１２に連動し、動画の横縦比である１６：９でのスルー画像表示（画面６０２）になる。
【００４５】
図７は、動画撮影開始・終了処理の流れを示すフローチャートである。動画撮影開始・終了処理では、コントローラ１３０は、使用者による動画レリーズ釦２０６の押下を検知すると、デジタルカメラ１００の記録動作の状態が動画記録中であるかどうかを判断する（Ｓ７０１）。デジタルカメラ１００の記録動作の状態が動画記録中でない場合、コントローラ１３０は、画像処理部１２２に対して動画記録開始指示を行う（Ｓ７０５）。動画記録開始指示を受けた画像処理部１２２は、フラッシュメモリ１４２から動画の横縦比情報を取得し、取得した横縦比で動画の記録を開始する。
【００４６】
コントローラ１３０からの画像処理部１２２に対する動画記録開始指示により、コントローラ１３０が動画記録停止指示を行うまでの間、ＣＣＤイメージセンサ１２０が生成した画像情報に基づいて画像処理部１２２により生成された画像情報が動画像として順次、メモリカード１４０等の記録媒体に記録される。記録開始時に画像処理部１２２は、フラッシュメモリ１４２から動画の横縦比情報を取得する。そして画像処理部１２２は、ＣＣＤイメージセンサ１２０が生成した画像情報から、動画の横縦比情報に従って全体または一部を切り出して記録する。デジタルカメラ１００の記録動作の状態が動画記録中の場合、コントローラ１３０は、画像処理部１２２に対して動画記録停止指示を行う（Ｓ７０９）。
【００４７】
図８は、静止画撮影処理の流れを示すフローチャートである。コントローラ１３０は、使用者による静止画レリーズ釦２０１の押下を検知すると、静止画レリーズ釦２０１が押下されたタイミングにおいて、ＣＣＤイメージセンサ１２０が生成した画像情報に基づいて画像処理部１２２により生成される静止画をメモリカード１４０等の記録媒体に記録する（Ｓ８０３）。画像処理部１２２は、静止画の記録にあたり、フラッシュメモリ１４２から静止画の横縦比情報を取得し、取得した横縦比で画像情報を切り出して記録する。
【００４８】
以上のように、残枚数残時間表示切替フラグが残枚数表示の場合には、静止画の横縦比として設定された横縦比でスルー画像を液晶モニタ１２３に表示させる。また、残枚数残時間表示切替フラグが残時間表示の場合には、動画の横縦比として設定された横縦比でスルー画像を液晶モニタ１２３に表示させる。これにより、例えば、使用者がこれから静止画を撮影しようとした際に、まず表示切替釦２０８を押下して液晶モニタ１２３に残枚数を表示させる。すると、この操作に連動してスルー画像が静止画の横縦比（例えば４：３）で表示されるようになる。これにより、これから撮影しようとしている静止画の横縦比と同じ横縦比でスルー画像が表示されるため、使用者は、液晶モニタ１２３に表示されたスルー画像を参照することにより、被写体の構図を確認しながら撮影することが可能となる。
【００４９】
また、使用者がこれから動画を撮影しようとした際に、まず表示切替釦２０８を押下して液晶モニタ１２３に残時間を表示させる。すると、この操作に連動してスルー画像が動画の横縦比（例えば１６：９）で表示されるようになる。これにより、これから撮影しようとしている動画の横縦比と同じ横縦比でスルー画像が表示されるため、使用者は、液晶モニタ１２３に表示されたスルー画像を参照することにより、被写体の構図を確認してから撮影を開始することが可能となる。また、動画の撮影を開始したときに、あらかじめ設定された動画の横縦比情報でスルー画像が表示されるが、撮影開始前から動画の横縦比でスルー画像が表示されているため、撮影開始後に横縦比が変更されずに、撮影することが可能である。
【００５０】
〔２−３．まとめ〕
以上のように、本実施の形態のデジタルカメラ１００は、被写体を撮像して画像データを出力するＣＣＤイメージセンサ１２０と、コントローラ１３０が設定した横縦比に応じて画像データの全体または一部の領域を抽出して抽出画像データとする画像処理部１２２と、抽出画像データに基づく画像、および、メモリカード１４０の空き容量に関する情報を表示する液晶モニタ１２３と、使用者からの操作を受け付ける操作部１５０と、コントローラ１３０とを備える。コントローラ１３０は、抽出画像データをメモリカード１４０に記録する。また、コントローラ１３０は、液晶モニタ１２３に表示する空き容量に関する情報として、静止画の記録可能枚数および動画の記録可能時間のうちいずれかを選択する。また、コントローラ１３０は、画像データの横縦比を設定する。また、コントローラ１３０は、操作部１５０が受け付けた操作に応じて、空き容量に関する情報と、横縦比とを連動して切り替える。
【００５１】
このような構成とすることにより、単一の操作によって、メモリカードの空き容量に関する情報の表示形態とスルー画像の横縦比とが連動して切り替わるため、使用者の利便性を向上させることができる。
【００５２】
〔３．他の実施の形態〕
本発明は、上記実施の形態に限定されず、種々の実施形態が考えられる。以下、本発明の他の実施の形態について記載する。
【００５３】
上記実施の形態において、表示切替釦２０８が押下されるのに応じて残枚数残時間表示切替フラグを制御し、静止画の横縦比／動画の横縦比を連動させ表示切替を行う方法を開示した。しかしながら、本発明はこれに限るものではなく、中央釦２０４を押下し、液晶モニタ１２３にメニュー画面を表示し、そのメニュー画面の一つとして残枚数残時間表示切替項目を追加し、十字釦２０５を使用者が操作することにより、設定値を変更したり、それと連動して静止画の横縦比／動画の横縦比の表示切替を行ってもよい。
【００５４】
上記実施の形態において、操作部１５０は、デジタルカメラ１００の外装に備わっている操作釦や操作ダイヤルの総称であるものとした。しかしながら、本発明はこれに限るものではなく、液晶モニタ１２３の上に重ねて配置したタッチパネルを含んでいてもよい。例えば、表示切替釦２０８の代わりに、液晶モニタ１２３上に表示切替アイコンを表示し、使用者がそのアイコンをタッチしたことをタッチパネルで検出することで、コントローラ１３０が表示切替処理を行うようにしてもよい。
【００５５】
上記実施の形態において、コントローラ１３０は、表示切替釦２０８の押下に応じて残枚数残時間表示切替フラグを制御し、これと静止画の横縦比／動画の横縦比を連動させ表示切替を行う方法を開示した。しかしながら、使用者による指示入力に応じて、残枚数表示および残時間表示の切り替えと、スルー画像表示の横縦比とが連動しさえすればよい。例えば、表示切替釦２０８の押下に応じて横縦比を動画の横縦比および静止画の横縦比のいずれかに切り替え、これと残時間表示／残枚数表示を連動させ表示切替を行うようにしてもよい。
【産業上の利用可能性】
【００５６】
本発明は、連続撮影の利便性を向上させた撮像装置を提供することができるため、動画および静止画について互いに異なる横縦比で記録可能なデジタルスチルカメラ、ムービー、携帯電話等にも適用できる。
【符号の説明】
【００５７】
１００  デジタルカメラ
１１１  フォーカスレンズ
１１２  ズームレンズ
１１３  絞り
１１４  シャッター
１２０  ＣＣＤイメージセンサ
１２１  ＡＦＥ（アナログ・フロント・エンド）
１２２  画像処理部
１２３  液晶モニタ
１２４  バッファメモリ
１３０  コントローラ
１４０  メモリカード
１４１  カードスロット
１４２  フラッシュメモリ
１５０  操作部
１６０  フラッシュ
２０１  静止画レリーズ釦
２０２  ズームレバー
２０３  電源釦
２０４  中央釦
２０５  十字釦
２０６  動画レリーズ釦
２０７  モード切替スイッチ
２０８  表示切替釦
【図１】
2012205044.tif 000003
【図２】
2012205044.tif 000004
【図３】
2012205044.tif 000005
【図４】
2012205044.tif 000006
【図５】
2012205044.tif 000007
【図６】
2012205044.tif 000008
【図７】
2012205044.tif 000009
【図８】
2012205044.tif 000010